【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  ユーザの頭部の周りに空気を分配するためにユーザの頭部に搭載する空気濾過システムのヘルメット・アセンブリであって、
内側構造シェルと、
前記内側シェルの少なくとも一部に沿って該内側シェルから離間され、ユーザの頭部の周りに空気を流すための少なくとも１つの空気流路を前記内側シェルとの間に画定する外側構造シェルと、
前記内側および外側シェルの少なくとも１方に搭載され、少なくとも１つの空気入口と少なくとも２つの空気出口とを含んでいて、前記少なくとも１つの空気入口に空気を吸い込み、前記ユーザの前記頭部の周りに空気を分配するために、前記少なくとも２つの空気出口を介して前記空気流路内に空気を分配するファン・モジュールとを備えた空気濾過システムのヘルメット・アセンブリ。
【請求項２】  前記ファン・モジュールに隣接して搭載された渦巻ハウジングを有し、その渦巻ハウジングが、基部と、前記基部の周りの外周を延びる外壁とをさらに含む、請求項１に記載のアセンブリ。
【請求項３】  前記渦巻ハウジングの前記外壁が、前記少なくとも２つの空気出口を画定するために分割される、請求項２に記載のアセンブリ。
【請求項４】  前方セクションおよび後方セクションを有するベース・セクションと、フェイシャル開口部を画定するために、前記ベース・セクションから延びるフェイシャル・セクションとをさらに含む、請求項３に記載のアセンブリ。
【請求項５】  前記内側および外側シェルが、前記空気流路を画定するために、前記ベース・セクションの前記前方および後方セクションの間に延びる、請求項４に記載のアセンブリ。
【請求項６】  前記ユーザの前記頭部の前方に向かって前記空気流路から空気を分配するために、前記ベース・セクションの前記前方セクションに配置された前方空気出口と、前記ユーザの前記頭部の後に向かって前記空気流路から空気を分配するために、前記ベース・セクションの前記後方セクションに配置された後方空気出口とをさらに含む、請求項５に記載のアセンブリ。
【請求項７】  前記少なくとも２つの空気出口が、それぞれ、前記ユーザの前記頭部の前方および後方に向かって空気を分配するために、前記前方および後方空気出口と流体連通の状態にある、請求項６に記載のアセンブリ。
【請求項８】  前記内側および外側シェルが、前記前方空気出口を画定するために、前記ベース・セクションの前記前方セクションに向かって収束する、請求項７に記載のアセンブリ。
【請求項９】  前記ユーザの前記頭部の前方に向かう空気の適切な偏向のために、前記前方空気出口で前記内側シェルに向かって傾斜する、前記外側構造シェルによって画定される空気偏向角度をさらに含む、請求項８に記載のアセンブリ。
【請求項１０】  前記空気偏向角度が、ゼロから９０度である、請求項９に記載のアセンブリ。
【請求項１１】  前記空気偏向角度が、２５度から３５度の間である、請求項９に記載のアセンブリ。
【請求項１２】  前記外側シェルに搭載された吸気グリッドをさらに含み、前記吸気グリッドが、前記ベース・セクションを覆い、かつ前記ファン・モジュール内に引き込まれた空気を濾過するためのフィルタ媒体として機能するガウンとともに使用するように構成されている、請求項４に記載のアセンブリ。
【請求項１３】  前記吸気グリッドが、前記外側シェルから離れる前記フィルタ媒体および前記ファン・モジュールを保持するために、前記外側シェルから離間された上部表面をさらに含む、請求項１２に記載のアセンブリ。
【請求項１４】  前記吸気グリッドが、前記ファン・モジュール内に引き込まれた空気を濾過する前記フィルタ媒体に関する有効取り入れ面積を最大化するために、前記ベース・セクションの前記前方セクションと前記後方セクションとの間の前記外側シェルに輪郭形成される、請求項１３に記載のアセンブリ。
【請求項１５】  前記内側および外側シェルの対向する側方に配置された放散空洞をさらに含み、前記空洞が、前記フィルタ媒体を通って出る前記空気流路および前記ユーザから放出される増大した空気を提供する、請求項１４に記載のアセンブリ。
【請求項１６】  前記内側シェルが、カバー表面と後方面とをさらに含み、前記カバー表面および前記後方面が、前記ベース・セクションの前記後方セクションで前記外側シェルへ延びる、請求項６に記載のアセンブリ。
【請求項１７】  前記後方空気出口が、前記空気流路から前記ユーザの前記頭部の後に向かって空気を分配するために、前記後方面内に形成される、請求項１６に記載のアセンブリ。
【請求項１８】  前記ベース・セクションの前記後方セクションで、前記カバー表面と前記外側シェルとの間に搭載空洞をさらに含む、請求項１６に記載のアセンブリ。
【請求項１９】  前記ファン・モジュールが、前記ユーザの前記頭部および首への負担を最小限にするために、前記後方セクションで前記搭載空洞内に配置されている、請求項１８に記載のアセンブリ。
【請求項２０】  前記ファン・モジュールが、前記空気入口内に空気を引き込むためのファンと、前記ファンを回転させるためのモータとを含む、請求項１９に記載のアセンブリ。
【請求項２１】  前記ファンを回転させるために、前記モータに給電する電源をさらに含む、請求項２０に記載のアセンブリ。
【請求項２２】  前記電源が、パルス幅変調によって前記モータに給電する、請求項２１に記載のアセンブリ。
【請求項２３】  前記ファンが、前記少なくとも１つの空気入口内に空気を引き込むために、前記ファンに関して前記外壁内の渦巻ハウジングの前記基部へ回転可能に搭載されている、請求項２０に記載のアセンブリ。
【請求項２４】  前記少なくとも１つの空気入口が、前記ファン・モジュール内に空気を引き込むために、前記外側シェル内に形成されている、請求項２３に記載のアセンブリ。
【請求項２５】  前記基部から突出する支持台をさらに含み、前記少なくとも１つの空気入口内に空気を引き込むために、前記ファンが、前記支持台上に回転可能に搭載されている、請求項２４に記載のアセンブリ。
【請求項２６】  前記モータが、前記支持台と前記内側シェルの前記カバー部との間の前記支持台の下側内に搭載される、請求項２５に記載のアセンブリ。
【請求項２７】  前記ベース・セクションから延びる前記フェイシャル・セクションが、前記フェイシャル開口部を画定するために、かつ前記ユーザの前記頭部から離れるガウンを保持するために、前記ベース・セクションから延びるチン・バーとしてさらに画定される、請求項１２に記載のアセンブリ。
【請求項２８】  前記チン・バーが可撓性である、請求項２７に記載のアセンブリ。
【請求項２９】  前記可撓性チン・バーが、プラスチックから作られる、請求項２７に記載のアセンブリ。
【請求項３０】  前記少なくとも２つの空気出口それぞれから、前記空気流路内に流れる空気の体積に影響を与えるために、前記ファン・モジュール内に配置された少なくとも１つの空気ブリード弁をさらに含む、請求項７に記載のアセンブリ。
【請求項３１】  前記空気ブリード弁が、前記空気の体積を操作するために機械的に制御される、請求項３０に記載のアセンブリ。
【請求項３２】  前記空気ブリード弁が、前記空気の体積を操作するために電気的に制御される、請求項３０に記載のアセンブリ。
【請求項３３】  前記内側および外側構造シェルが、ツー・シート熱形成プロセスから前記空気流路を形成する、請求項１に記載のアセンブリ。
【請求項３４】  前記内側および外側構造シェルが、それぞれ外側外周を含み、前記内側および外側シェルが、前記外側外周でともに挟まれる、請求項３３に記載のアセンブリ。
【請求項３５】  前記空気流路が、前記内側および外側シェルの前記挟まれた外側外周の間で熱形成される、請求項３４に記載のアセンブリ。
【請求項３６】  ユーザの頭部および身体と、ユーザの外部環境との間の空気濾過のための空気濾過システムであって、
内側構造シェルと、前記内側シェルの少なくとも一部に沿って該内側シェルから離間され、ユーザの頭部の周りに空気を流すための少なくとも１つの空気流路を前記内側シェルとの間に画定する外側構造シェルとを有するヘルメット・アセンブリと、
ユーザの身体の少なくとも一部を覆うための身体部分と、前記ヘルメット・アセンブリの少なくとも一部を覆い、ユーザと前記外部環境との間の空気を濾過するためのフィルタ媒体として少なくとも部分的に機能するヘッド部分とを含むガウンと、
ユーザが前記ガウンの前記ヘッド部分を通して見ることができるようにするために、前記ガウンの前記ヘッド部分に搭載されたフェース・シールドと、
前記ヘルメット・アセンブリの前記内側および外側シェルの少なくとも一方に搭載され、少なくとも１つの空気入口と少なくとも２つの空気出口とを含んでいて、前記少なくとも１つの空気入口に空気を吸い込み、前記ユーザの前記頭部の周りに空気を分配するために、前記少なくとも２つの空気出口を介して前記空気流路内に空気を分配するファン・モジュールとを備えた空気濾過システム。
【請求項３７】  前記ファン・モジュールが、前記空気入口内に空気を引き込むためのファンと、前記ファンを回転させるためのモータとを含む、請求項３６に記載のシステム。
【請求項３８】  前記ファンを回転させるために前記モータに給電する電源をさらに含む請求項３７に記載のアセンブリ。
【請求項３９】  前記電源がパルス幅変調によって前記モータに給電する請求項３８に記載のシステム。
【請求項４０】  前記ヘルメット・アセンブリがベース・セクションとフェイシャル・セクションとを含み、前記ベース・セクションが前方セクションと後方セクションとを含み、前記フェイシャル・セクションがフェイシャル開口部を画定するために前記ベース・セクションから延びる請求項３６に記載のアセンブリ。
【請求項４１】  前記フェース・シールドが前記フェイシャル開口部を覆うために前記ガウンの前記ヘッド部分に搭載され、前記フェイシャル開口部は、前記ユーザが、前記ガウンの前記ヘッド部分と前記ヘルメット・アセンブリの前記フェイシャル開口部とを通して見ることを可能にする、請求項４０に記載のシステム。
【請求項４２】  前記ベース・セクションの前記後方セクションで、前記内側シェルと前記外側シェルとの間に搭載空洞をさらに含む請求項４０に記載のシステム。
【請求項４３】  前記ファン・モジュールが、前記ユーザの前記頭部および首への負担を最小限にするために、前記後方セクションで前記搭載空洞内に配置されている請求項４２に記載のシステム。
【請求項４４】  前記ガウンが、前記ファン・モジュール内に引き込まれる空気を濾過するための前記フィルタ媒体として機能する吸気グリッドを覆うように、前記外側シェルに搭載された前記吸気グリッドをさらに含む請求項３６に記載のシステム。
【請求項４５】  前記吸気グリッドが、前記外側シェルから離れる前記フィルタ媒体を保持するために、前記外側シェルから離間された上部表面をさらに含む、請求項４４に記載のシステム。
【請求項４６】  前記吸気グリッドが、前記ファン・モジュール内に引き込まれた空気を濾過する前記フィルタ媒体に関する有効取り入れ面積を最大化するために、前記ベース・セクションの前記前方セクションと前記後方セクションとの間の前記外側シェルに輪郭形成される、請求項４５に記載のシステム。
【請求項４７】  一人のユーザが無菌性を維持して自己装着するのを支援する位置決めび支持システムであって、
ユーザの頭部に搭載されるように構成され、フェイシャル開口部を画定するようにベース・セクションと前記ベース・セクションから延びるフェイシャル・セクションとを含むヘルメット・アセンブリと、
ユーザの身体の少なくとも一部を覆う身体部分と、前記ヘルメット・アセンブリの前記ベース・セクションを覆うヘッド部分とを含むガウンと、
前記フェイシャル開口部を覆い、それによってユーザが前記ガウンの前記ヘッド部分を通して見ることができるように前記ガウンの前記ヘッド部分に搭載されたフェース・シールドとを備え、前記フェース・シールドが、前記ヘルメット・アセンブリ上に前記フェース・シールドを支持するための搭載機構部を含み、
前記ヘルメット・アセンブリの前記ベース・セクションが前記フェイシャル開口部に対して配置される搭載装置を含み、前記搭載装置が、前記フェース・シールド上の前記搭載機構部と噛み合い、前記フェイシャル開口部を覆って前記フェース・シールドを自動的に中心合わせし、かつ前記ガウンおよび前記フェース・シールドを支持し、それによって、一人のユーザの自己装着を支援し、一方、ユーザが無菌性を維持するように前記ガウンおよびフェース・シールドと前記ヘルメット・アセンブリとの間の相対位置を維持する位置決め支持システム。
【請求項４８】  前記搭載機構部が前記フェース・シールド上に中心合わせされる請求項４７に記載のシステム。
【請求項４９】  前記搭載装置が前記フェイシャル開口部に対して中心合わせされる請求項４８に記載のシステム。
【請求項５０】  前記フェース・シールドの前記搭載機構部が開口として形成され、前記ヘルメット・アセンブリの前記搭載装置が、前記フェイシャル開口部を覆う前記フェース・シールドを自動的に中心合わせし、かつ前記ガウンを支持するために、前記開口と噛み合う搭載クリップとして形成される請求項４９に記載のシステム。
【請求項５１】  前記フェース・シールドの前記搭載機構部が開口として形成される請求項４７に記載のシステム。
【請求項５２】  前記ヘルメット・アセンブリの前記搭載装置が搭載クリップとして形成され、前記搭載クリップが、前記フェース・シールドを自動的に中心合わせし、かつ前記ガウンを支持するために、前記開口に開放可能にはめ合うようなサイズにされている請求項５１に記載のシステム。
【請求項５３】  前記搭載クリップが、前記フェース・シールドを支持するために、前記フェイシャル開口部から離れて前記ベース・セクションから上方に延びる請求項５２に記載のシステム。
【請求項５４】  前記搭載クリップが前記ベース・セクションから外側に延びる遠位縁を含み、前記フェース・シールドの一部は、前記フェース・シールドが前記ガウンを支持するために前記搭載クリップに搭載された後、前記遠位縁と前記ベース・セクションとの間に載る請求項５２に記載のシステム。
【請求項５５】  ガウンおよびフェース・シールドを有する位置決め支持システムとともに使用されるように構成されたヘルメット・アセンブリであって、前記ヘルメット・アセンブリが、一人のユーザが無菌性を維持するようにそのユーザが自己装着するのを支援するようになっており、前記ヘルメット・アセンブリが、
ベース・セクションと、
前記フェース・シールドを受けるフェイシャル開口部を画定するように前記ベース・セクションから延びるフェイシャル・セクションとを備え、
前記ベース・セクションが、前記フェイシャル開口部に対して配置された搭載装置を含み、前記搭載装置が、前記フェイシャル開口部を覆う前記フェース・シールドを自動的に中心合わせしかつ前記ガウンおよび前記フェース・シールドを支持するために前記フェース・シールドと噛み合うように構成され、それによって、無菌性を維持し、かつ前記ガウンおよび前記フェース・シールドと前記ベース・セクションとの間の相対位置を維持しつつ、一人のユーザが自己装着するのを支援するようになっているヘルメット・アセンブリ。
【請求項５６】  前記搭載装置が前記フェイシャル開口部に対して中心合わせされる請求項５５に記載のアセンブリ。
【請求項５７】  前記ベース・セクションの前記搭載装置が、前記フェース・シールドを自動的に中心合わせしかつ前記ガウンを支持するために、前記フェース・シールドを通して突出するように構成された搭載クリップとして形成された請求項５５に記載のアセンブリ。
【請求項５８】  前記搭載クリップが、前記フェース・シールドを支持するために、前記フェイシャル開口部から離れて前記ベース・セクションから上方に延びる請求項５７に記載のアセンブリ。
【請求項５９】  前記搭載クリップが前記ベース・セクションから外側に延びる遠位縁を含み、前記フェース・シールドの一部は、前記フェース・シールドが前記ガウンを支持するために前記搭載クリップに搭載された後、前記遠位縁と前記ベース・セクションとの間に載るようになっている請求項５７に記載のアセンブリ。
【請求項６０】  空気濾過システム内を流れる空気の体積を制御し、かつユーザに最大および最小の空気の体積の可聴表示を提供する空気濾過システムのヘルメット・アセンブリであって、
内側構造シェルと、
ユーザの頭部の周りに空気を流すために前記内側および外側シェルの間に少なくとも１つの空気流路を画定するように前記内側構造シェルから延びる外側構造シェルと、
前記空気流路内に空気を引き込むために前記空気流路と流体連通の状態にあるファンと、
前記空気流路内を流れる空気の体積に関連する複数の回転速度で前記ファンを駆動するように前記ファンに動作可能に接続された出力を有するモータと、
前記モータの前記出力に影響を与えるように選択的に作動化および非作動化される電源と、
ユーザに最大および最小の空気の体積の可聴表示を提供するために、前記ユーザに対して可聴周波数を有する作動速度で、前記電源を選択的に作動および非作動にするコントローラとを備えたヘルメット・アセンブリ。
【請求項６１】  前記外側シェルから延びる第１および第２のモータ・コントロールを含み、前記第１のモータ・コントロールはユーザによる操作に応答して前記ファンの回転速度を増加させ、前記第２のモータ・コントロールはユーザによる操作に応答して前記ファンの回転速度を低減させるようになっている請求項６０に記載のアセンブリ。
【請求項６２】  前記第１および第２のモータ・コントロールは、それぞれ第１および第２のプッシュ・ボタンである請求項６１に記載のアセンブリ。
【請求項６３】  ユーザの操作を支援するために、前記第１および第２のプッシュ・ボタンの１方が、前記第１および第２のプッシュ・ボタンの他方と異なる高さで前記外側シェルから延びる請求項６２に記載のアセンブリ。
【請求項６４】  前記複数の回転速度は、第１の空気の体積に相当する第１の回転速度として、第２の空気の体積に相当する第２の回転速度として、第３の空気の体積に相当する第３の回転速度として、終わりから２番目の空気の体積に相当する終わりから２番目の回転速度として、終わりの空気の体積に相当する終わりの回転速度として定められる請求項６１に記載のアセンブリ。
【請求項６５】  前記第１の空気の体積は前記空気流路内を流れる最小空気体積であり、前記終わりの空気の体積は前記空気流路内を流れる最大空気体積である請求項６４に記載のアセンブリ。
【請求項６６】  前記ファンの終わりから２番目の回転速度から終わりの回転速度へ前記ファンの回転速度を増大させるようにユーザが前記第１のモータ・コントロールを操作するときに前記作動速度の周波数が可聴である請求項６５に記載のアセンブリ。
【請求項６７】  前記ファンの第２の回転速度から第１の回転速度へ前記ファンの回転速度を低減するようにユーザが前記第２のモータ・コントロールを操作するときに前記作動速度の周波数が可聴である請求項６６に記載のアセンブリ。
【請求項６８】  前記コントローラが、パルス幅変調で前記電源を選択的に作動および非作動にする請求項６０に記載のアセンブリ。
【請求項６９】  前記複数の回転速度の１つを示すセット・ポイントをさらに含む請求項６０に記載のアセンブリ。
【請求項７０】  前記コントローラが、前記電源が非作動されたときに前記セット・ポイントを保持するメモリを含む請求項６９に記載のアセンブリ。
【請求項７１】  ユーザの頭部および身体と、ユーザの外部環境との間の空気濾過システム内へ流れる所定体積の空気を濾過し、かつユーザに対する最小および最大体積の空気の可聴表示を提供する空気濾過システムであって、
ユーザの頭部に搭載されるように構成されていてベース・セクションとフェイシャル・セクションとを含み、前記ベース・セクションが、内側構造シェルと、その内側構造シェルから延びてユーザの頭部の周りに空気を流すための少なくとも１つの空気流路を前記内側シェルとの間に画定する外側構造シェルとを有するヘルメット・アセンブリと、
ユーザの身体の少なくとも一部を覆うための身体部分と、前記ヘルメット・アセンブリを覆ってユーザと外部環境との間の空気を濾過するためのフィルタ媒体として機能するヘッド部分とを含むガウンと、
前記ヘルメット・アセンブリの前記フェイシャル・セクションを覆い、それによってユーザが、前記ガウンの前記ヘッド部分を通して見ることができるようにするために前記ガウンの前記ヘッド部分に搭載されたフェース・シールドと、
前記ヘルメット・アセンブリの前記空気流路内に空気を引き込むために前記空気流路と流体連通するファンと、
前記空気流路内を流れる空気の体積に関連する複数の回転速度で前記ファンを駆動するために前記ファンに動作可能に接続された出力を有するモータと、
前記モータの前記出力に影響を与えるように選択的に作動および非作動にされる電源と、
ユーザに最大および最小の空気体積の可聴表示を提供するために、ユーザに対する可聴周波数を有する作動速度で前記電源を選択的に作動かつ非作動にするコントローラとを備える空気濾過システム。
【請求項７２】  前記外側シェルから延びる第１および第２のモータ・コントロールをさらに含み、前記第１のモータ・コントロールはユーザによる操作に応答して前記ファンの回転速度を増加させ、、前記第２のモータ・コントロールはユーザによる操作に応答して前記ファンの回転速度を低減させるようになっている請求項７１に記載のシステム。
【請求項７３】  前記複数の回転速度は、第１の空気の体積に相当する第１の回転速度として、第２の空気の体積に相当する第２の回転速度として、第３の空気の体積に相当する第３の回転速度として、終わりから２番目の空気の体積に相当する終わりから２番目の回転速度として、終わりの空気の体積に相当する終わりの回転速度として定められる請求項７２に記載のシステム。
【請求項７４】  前記第１の空気の体積は前記空気流路内へ流れる最小空気体積であり、前記終わりの空気の体積は、前記空気流路内へ流れる最大空気体積である請求項７３に記載のシステム。
【請求項７５】  前記ファンの終わりから２番目の回転速度から終わりの回転速度へ前記ファンの回転速度を増大させるようにユーザが前記第１のモータ・コントロールを操作するときに前記作動速度の周波数が可聴である請求項７４に記載のシステム。
【請求項７６】  前記ファンの第２の回転速度から第１の回転速度へ前記ファンの回転速度を低減させるようにユーザが前記第２のモータ・コントロールを操作するときに前記作動速度の周波数が可聴である請求項７５に記載のシステム。
【請求項７７】  前記コントローラが、パルス幅変調で前記電源を選択的に作動および非作動にする請求項７１に記載のシステム。
【請求項７８】  ユーザの頭部および首に対する負荷を最小にするようにユーザの頭部に搭載する空気濾過システムのヘルメット・アセンブリであって、
前方セクションおよび後方セクションを有する構造シェルと、
前記構造シェルの前記後方セクションから剛固に延びてその後方セクションに対して実質的に移動しないように固定される後方支持体と、
前記後方支持体によって支持され、第１の端部と第２の端部とを有するストラップと、
前記ストラップの前記第１および第２の端部と係合し、前記後方支持体が前記後方セクションおよび前記ストラップに対して固定されているときに前記第１および第２の端部を互いに近づけように操作して、前記ストラップを締めかつ前記前方セクションから前記ストラップを引っ張るようにし、また、前記後方支持体が前記後方セクションおよび前記ストラップに対して固定されているときに前記第１および第２の端部を互いに離すように操作して前記ストラップを緩めかつ前記前方セクションに向かって前記ストラップを押し出すようにする調節装置とを備えたヘルメット・アセンブリ。
【請求項７９】  第１の側と第２の側とを有する調節セグメントを備え、前記ストラップの第１の端部が前記調節セグメントの第１の側内に可動に配置され、前記ストラップの第２の端部が前記調節セグメントの第２の側内に固定して配置される請求項７８に記載のアセンブリ。
【請求項８０】  第１の側と第２の側とを有する調節セグメントを備え、前記ストラップの第１の端部が前記調節セグメントの第１の側内に固定して配置され、前記ストラップの第２の端部が前記調節セグメントの第２の側内に可動に配置される請求項７８に記載のアセンブリ。
【請求項８１】  第１の側と第２の側とを有する調節セグメントを備え、前記ストラップの前記第１の端部が、前記調節セグメントの第１の側内に可動に配置され、前記ストラップの前記第２の端部が、前記調節セグメントの第２の側内に可動に配置される請求項７８に記載のアセンブリ。
【請求項８２】  第１の側と第２の側とを有する調節セグメントを備え、前記調節セグメントが構造シェルおよび前記後方支持体に対して移動不能に固定され、前記調節装置が前記調節セグメントに搭載される請求項７８に記載のアセンブリ。
【請求項８３】  前記後方支持体上に配置された調節セグメントを備え、前記後方支持体が前記調節セグメントを一体に含み、前記調節装置が前記調節セグメントに搭載されている請求項７８に記載のアセンブリ。
【請求項８４】  前記ストラップが、前記第１および第２の端部間に配置されて前記調節セグメントに対向する前方部分をさらに含む請求項８２に記載のアセンブリ。
【請求項８５】  前記ストラップを前記構造シェルの前記前方セクションに可撓性に接続するために前記ストラップの前記前方部分から延びる少なくとも１つのヒンジを含む請求項８４に記載のアセンブリ。
【請求項８６】  前記ストラップの前記前方部分と前記構造シェルの前記前方セクションとの間に画定されたギャップを含む請求項８５に記載のアセンブリ。
【請求項８７】  前記ストラップが前記調節装置によって締められたときに前記少なくとも１つのヒンジが前記ギャップを増大するように曲がる請求項８６に記載のアセンブリ。
【請求項８８】  前記ストラップが前記調節装置によって緩められたときに前記少なくとも１つのヒンジが前記ギャップを低減するように緩められる請求項８７に記載のアセンブリ。
【請求項８９】  前記後方支持体上に配置された調節セグメントを備え、前記調節セグメントにが、前記ストラップの前記第１および第２の端部を受ける調節開口が形成された請求項７８に記載のアセンブリ。
【請求項９０】  前記調節装置が、前記ストラップの前記第１および第２の端部と係合するために、前記調節開口から回転可能に装着されて前記調節開口内に延びる調節ノブとして形成される請求項８９に記載のアセンブリ。
【請求項９１】  前記調節ノブが前記調節開口内に延びるピニオンを含む請求項９０に記載のアセンブリ。
【請求項９２】  前記ストラップの前記第１の端部が第１のラックを含み、前記ストラップの前記第２の端部が第２のラックを含み、前記調節ノブの前記ピニオンが、前記調節ノブの回転時に前記第１および第２のラックと係合するために前記調節開口内に延びる請求項９１に記載のアセンブリ。
【請求項９３】  前記調整ノブが前記後方支持体に面する内側表面を含み、前記内側表面が複数の歯を含む請求項９２に記載のアセンブリ。
【請求項９４】  前記後方支持体から延びる可撓性支持バーを含み、前記支持バーが、前記後方支持体に対して前記ストラップを固定するために、前記調節ノブの前記歯と噛み合う少なくとも１つの固定回転止めを含む請求項９３に記載のアセンブリ。
【請求項９５】  前記調節ノブの操作時に前記可撓性支持バーが前記調節ノブの前記歯から前記回転止めを外すように曲がり、前記ストラップが前記支持体に対して動くことができるようにする請求項９４に記載のアセンブリ。
【請求項９６】  前記構造シェルの前記後方セクションに隣接して配置されたファン・モジュールを含む請求項７８に記載のアセンブリ。
【請求項９７】  ユーザとユーザの外部環境との間の空気を濾過し、かつ、ユーザの頭部および首に対する負荷を最小にするための空気濾過システムであって、
前方セクションおよび後方セクションを有する構造シェルを含むヘルメット・アセンブリと、
ユーザの身体の少なくとも一部を覆う身体部分と、前記ヘルメット・アセンブリの少なくとも一部を覆ってユーザと外部環境との間の空気を濾過するためのフィルタ媒体として機能するヘッド部分とを含むガウンと、
前記ヘルメット・アセンブリの一セクションを覆い、それによってユーザが前記ガウンの前記ヘッド部分を通して見ることができるようにするために前記ガウンの前記ヘッド部分に搭載されたフェース・シールドと、
前記構造シェルの前記後方セクションから剛固に延びる後方支持体と、
前記後方支持体によって支持され、第１の端部と第２の端部とを有するストラップと、
前記ストラップの前記第１および第２の端部と係合し、前記後方支持体が前記後方セクションおよび前記ストラップに対して固定されているときに前記第１および第２の端部を互いに近づけように操作して、前記ストラップを締めかつ前記前方セクションから前記ストラップを引っ張るようにし、また、前記後方支持体が前記後方セクションおよび前記ストラップに対して固定されているときに前記第１および第２の端部を互いに離すように操作して前記ストラップを緩めかつ前記前方セクションに向かって前記ストラップを押し出すようにする調節装置とを備えた空気濾過システム。
【請求項９８】  第１の側と第２の側とを有する調節セグメントを備え、前記ストラップの前記第１の端部が前記調整セグメントの第１の側内に可動に配置され、前記ストラップの前記第２の端部が前記調整セグメントの第２の側内に固定して配置される請求項９７に記載のアセンブリ。
【請求項９９】  第１の側と第２の側とを有する調節セグメントを備え、前記ストラップの前記第１の端部が前記調整セグメントの第１の側内に固定して配置され、前記ストラップの前記第２の端部が前記調整セグメントの第２の側内に可動に配置される請求項９７に記載のアセンブリ。
【請求項１００】  第１の側と第２の側とを有する調節セグメントを備え、前記ストラップの前記第１の端部が前記調整セグメントの第１の側内に可動に配置され、前記ストラップの前記第２の端部が前記調整セグメントの第２の側内に可動に配置される請求項９７に記載のアセンブリ。
【請求項１０１】  前記後方支持体上に配置された調節セグメントを備え、前記調節セグメントが前記構造シェルおよび前記後方支持体に対して移動不能に固定され、前記調節装置が前記調節セグメントに搭載される請求項９７に記載のアセンブリ。
【請求項１０２】  前記後方支持体上に配置された調節セグメントを備え、前記後方支持体が前記調節セグメントを一体に含み、前記調節装置が前記調節セグメントに搭載される請求項９７に記載のアセンブリ。
【請求項１０３】  ユーザの頭部の周りに空気を分配するためにユーザの頭部に搭載する空気濾過システムのヘルメット・アセンブリであって、
内側構造シェルと、
前記内側シェルの少なくとも一部に沿って該内側シェルから離間され、ユーザの頭部の周りに空気を流すための少なくとも１つの空気流路を前記内側シェルとの間に画定する外側構造シェルと、
前記空気流路からの空気をユーザの頭部に流して分配するための少なくとも１つのヘルメット空気出口と、
前記内側および外側シェルの少なくとも１つに搭載され、少なくとも１つの空気入口と少なくとも２つの空気出口とを含むファン・モジュールとを備え、前記ファン・モジュールは、前記少なくとも１つの空気入口を通して空気を引き込み、前記少なくとも２つの空気出口を通して前記空気流路内へ、および前記少なくとも１つのヘルメット空気出口へ空気を分配するヘルメット・アセンブリ。
【請求項１０４】  前方セクションおよび後方セクションを有するベース・セクションを請求項１０３に記載のアセンブリ。
【請求項１０５】  前記少なくとも１つのヘルメット空気出口が第１および第２ヘルメット空気出口として形成される請求項１０４に記載のアセンブリ。
【請求項１０６】  前記第１のヘルメット空気出口が、前記空気流路からの空気をユーザの頭部の前方に向かって分配するために、前記ベース・セクションの前記前方セクションに配置され、前記第２のヘルメット空気出口が、前記空気流路からの空気をユーザの頭部の後方に向かって分配するために、前記ベース・セクションの前記後方セクションに配置される請求項１０５に記載のアセンブリ。
【請求項１０７】  空気濾過システムの使用全体の間にその空気濾過システム内を流れる一定量の空気を維持する方法であって、前記空気濾過システムが、ユーザの頭部に搭載されるように構成されたヘルメット・アセンブリと、前記ヘルメット・アセンブリを覆うためのガウンとを含み、前記空気濾過システムの前記ヘルメット・アセンブリが、ファン、モータおよび電源を含み、前記方法が、
前記モータに必要な電圧を分配し、それによって前記空気濾過システム内を流れる一定量の空気に関連するファンの回転速度を確立するために、第１の作動速度で前記電源を選択的に作動および非作動にすることと、
前記ファンの回転速度が所定時間安定化したときに、前記ファンの回転速度を決定するために、前記ヘルメット・アセンブリのモータの戻り電動力を監視することと、
前記ファンの回転速度が所定時間安定化した後に前記電源の電圧を監視することと、
前記電源の監視された電圧が減少するときに第２の作動速度で前記電源を選択的に作動および非作動にし、それによって、前記空気濾過システム内を流れる一定量の空気が維持されるように、前記モータに分配される必要な電圧を持続することとを含む方法。
【請求項１０８】  ユーザの頭部および身体と、ユーザの外部環境との間の空気濾過のための空気濾過システムであって、
ユーザの頭部に搭載されるように構成されていてベース・セクションとフェイシャル・セクションとを含み、前記ベース・セクションが、内側構造シェルと、その内側構造シェルから離間されてユーザの頭部の周りに空気を流すための少なくとも１つの空気流路を前記内側シェルとの間に画定する外側構造シェルとを有するヘルメット・アセンブリと、
ユーザの身体の少なくとも一部を覆うための身体部分と、前記ヘルメット・アセンブリのベース・セクションを覆ってユーザと外部環境との間の空気を濾過するためのフィルタ媒体として少なくとも部分的に機能するヘッド部分とを含むガウンと、
前記内側および外側シェルの少なくとも１方に搭載され、少なくとも１つの空気入口と少なくとも２つの空気出口とを有していて、前記少なくとも１つの空気入口を通して空気を引き込み、ユーザの頭部の周りに空気を分配するために前記少なくとも２つの空気出口を通して前記少なくとも１つの空気流路内へ空気を分配するようになっているファン・モジュールとを備えた空気濾過システム。
【請求項１０９】  一人のユーザが無菌性を維持して自己装着するのを支援する視覚的位置決めシステムであって、
ユーザの頭部に搭載されるように構成され、ベース・セクションと、そのベース・セクションから延びてフェイシャル開口部を形成するフェイシャル・セクションとを有するヘルメット・アセンブリと、
ユーザの身体の少なくとも一部を覆う身体部分と、前記ヘルメット・アセンブリの前記ベース・セクションを覆うヘッド部分とを含むガウンと、
前記フェイシャル開口部を覆い、ユーザが前記ガウンの前記ヘッド部分を通して見ることができるように前記ガウンの前記ヘッド部分に搭載されたフェース・シールドとを備え
前記フェース・シールドが、ユーザが該フェース・シールドを前記ヘルメット・アセンブリに視覚的に整列させることを可能にする第１の視覚的インジケータを有しており、
前記ヘルメット・アセンブリの前記ベース・セクションが、前記フェース・シールド上の前記第１の視覚的インジケータと整列して前記フェース・シールドを前記フェイシャル開口部上に自動的に中心合わせし、それによって一人のユーザが無菌性を維持して自己装着するのを支援するように前記フェイシャル開口部に対して位置決めされる第２の視覚的インジケータを含んでいる視覚的位置決めシステム。
【請求項１１０】  前記第１の視覚的インジケータが前記フェース・シールド上に中心合わせされ、前記第２の視覚的インジケータが、前記フェイシャル開口部に関して前記ヘルメット・アセンブリに中心合わせされる、請求項１０９に記載のシステム。
【請求項１１１】  前記ヘルメット・アセンブリが、前記ベース・セクションの前方および後方セクション間に延びる内側および外側シェルをさらに含む請求項１０９に記載のシステム。
【請求項１１２】  前記第２の視覚的インジケータが前記ヘルメット・アセンブリの前記内側および外側シェルの１方に配置されている、請求項１１１に記載のシステム。
【請求項１１３】  ガウンおよびフェース・シールドを有する視覚的位置決めシステムとともに使用され、一人のユーザが無菌性を維持して自己装着するのを支援するようになっているヘルメット・アセンブリにおいて、
ベース・セクションと、
前記ベース・セクションから延びて前記フェース・シールドを受けるフェイシャル開口部を画定するフェイシャル・セクションとを備え、
前記ベース・セクションが、前記フェース・シールドの第１の視覚的インジケータと整列して前記フェース・シールドを前記フェイシャル開口部上に自動的に中心合わせし、それによって一人のユーザが無菌性を維持しかつ前記ガウンおよびフェース・シールドと前記ベース・セクションとの間の相対位置を維持しつつ自己装着するのを支援するように前記フェイシャル開口部に対して位置決めされる第２の視覚的インジケータを含んでいる視覚的位置決めシステム。
【請求項１１４】  ユーザの頭部の周りに空気を分配するためにユーザの頭部に搭載するようになっている空気濾過システムのヘルメット・アセンブリであって、
内側構造シェルと、
前記内側シェルから延びてユーザの頭部の周りに空気を流すための少なくとも１つの空気流路を該内側シェルとの間に画定する外側構造シェルと、
前記内側および外側シェルの少なくとも１つに搭載され、少なくとも１つの空気入口と少なくとも２つの空気出口とを含むファン・モジュールとを備え、
前記ファン・モジュールは、前記少なくとも１つの空気入口を通して空気を引き込み、ユーザの頭部の周りに空気を分配するために前記空気出口を通して前記少なくとも１つの空気流路内へ空気を分配するようになっており、また、
前記ファン・モジュールに給電するために、前記内側および外側シェルの少なくとも１方に搭載された一体化電源を備えているヘルメット・アセンブリ。
【請求項１１５】  前記一体化電源がバッテリである請求項１１４に記載のアセンブリ。
【請求項１１６】  ユーザの頭部の周りに空気を分配するためにユーザの頭部に搭載する空気濾過システムのヘルメット・アセンブリであって、
内側構造シェルと、
前記内側シェルから延びてユーザの頭部の周りに空気を流すための少なくとも１つの空気流路を前記内側シェルとの間に画定する外側構造シェルとを備え、
前記内側および外側シェルはユーザの頭部の前部に近接する前方セクションおよびユーザの頭部の後部に近接する後方セクションを有するベース・セクションを形成しており、また、
前記空気流路からユーザの頭部へ向けて空気を分配するための第１および第２のヘルメット空気出口を有し、第１のヘルメット空気出口は、前記空気流路からユーザの頭部の前部へ向けて空気を分配するために前記ベース・セクションの前方セクションに設けられ、一方、第２のヘルメット空気出口は、前記空気流路からユーザの頭部の後部へ向けて空気を分配するために前記ベース・セクションの後方セクションに設けられており、さらに、
前記内側および外側シェルの少なくとも１方に搭載され、少なくとも１つの空気入口と少なくとも１つの空気出口とを含んでいて、前記少なくとも１つの空気入口に空気を吸い込み、前記少なくとも１つの空気出口を介して空気を前記空気流路および前記第１および第２のヘルメット空気出口へ分配するように構成されたファン・モジュールが設けられているヘルメット・アセンブリ。
【請求項１１７】  前方セクションおよび後方セクションを有するベース・セクションをさらに含む請求項１１６に記載のアセンブリ。
【請求項１１８】  前記第１のヘルメット空気出口は、前記空気流路からユーザの頭部の前部へ向けて空気を分配するために前記ベース・セクションの前方セクションに設けられ、一方、第２のヘルメット空気出口は、前記空気流路からユーザの頭部の後部へ向けて空気を分配するために前記ベース・セクションの後方セクションに設けられている請求項１１７に記載のアセンブリ。
【請求項１１９】  空気濾過システムに使用されるヘルメット・アセンブリを覆い、一人のユーザが無菌性を維持して自己装着するのを支援するように構成されたフードであって、
ユーザとユーザの外部環境との間の空気濾過のための濾過媒体と、
ユーザが前記フードを通して見ることができるようにするために前記フードの前記濾過媒体に搭載されたフェース・シールドとを備え、
前記フェース・シールドが、ユーザが無菌性を維持して自己装着するときに、前記フェース・シールドを前記ヘルメット・アセンブリに対して自動的に中心合わせし、前記フェース・シールドおよび濾過媒体を前記ヘルメット・アセンブリ上に支持する搭載機構を有しているフード。